(57)【要約】      （修正有）【課題】髮を挟むときに、頭髮を簡単に固定することができ、頭部後方が湾曲したアーチ形の美しい髮型を呈することを可能にする挟歯状の挟合部を有するヘアアクセサリを提供する。【解決手段】ヘアアクセサリ本体１と、造型体２とを備える。前記ヘアアクセサリ本体は、頭髮を包被可能な包被部１３を有する。前記包被部は、透過上下端を有し、頭髮を挟むときに、頭髮が包被部上下端を貫通する。また、造型体は、ヘアアクセサリ本体上に設け、複数のピン２１を有する。前記ピンの方向は、前記包被部上下端の貫通方向に対応する。かつヘアアクセサリ本体を閉合させ、包被部で頭髮を束ねるときに、前記ピンは頭髮に挿されていない。また、ヘアアクセサリ本体を移動させ、包まれてない頭髮に造型体のピンを挿し、ヘアアクセサリ本体の位置を固定することができる。【選択図】図１
0003153625.tif 000002
【実用新案登録請求の範囲】
【請求項１】
透過上下端を有し、髮を挟むときに、頭髮が包被部上下端を貫通する、頭髮を包被可能な包被部を有するヘアアクセサリ本体と、
ヘアアクセサリ本体上に設け、複数のピンを有し、該ピンの方向は、前記包被部上下端の貫通方向に対応し、かつヘアアクセサリ本体を閉合させ、包被部で頭髮を束ねるときに、該ピンは頭髮に挿されておらず、また、ヘアアクセサリ本体を移動させ、包まれてない頭髮に造型体のピンを挿し、ヘアアクセサリ本体の位置を固定することができる造型体と、
を備えたヘアアクセサリ。
【請求項２】
造型体とヘアアクセサリ本体とを一体成型した請求項１に記載のヘアアクセサリ。
【請求項３】
造型体は、貼り合わせにより、または接合素子により、ヘアアクセサリ本体と接合した請求項１に記載のヘアアクセサリ。
【請求項４】
造型体のピンの両側にフランジを有し、ピンを頭髮に挿すときに、フランジが髮を挟むことができる請求項１に記載のヘアアクセサリ。
【請求項５】
ヘアアクセサリ本体が左右挟合部を有し、左右挟合部はクリップを有し、一端が枢接し、ばねに接合し、相互に展開、閉合可能であり、左右挟合部の間に包被部を有し、髮を挟んだ後に、左右挟合部がそれぞれ頭髮を挟む左右側に位置し、また、造型体の一端が包被部下端に対応するクリップと接合し、造型体のピンが前記クリップの底部から延伸し、かつ包被部上下端の貫通方向に対応するようにした請求項１に記載のヘアアクセサリ。
【請求項６】
ヘアアクセサリ本体が外内挟合部を有し、外内挟合部はクリップを有し、一端が枢接し、弾性素子に接合し、相互に展開、閉合可能であり、外内挟合部の間に包被部を有し、髮を挟んだ後に、外内挟合部がそれぞれ頭髮を挟む外内側に位置し、また、造型体の一端が内挟合部の底部と接合し、造型体のピンが内挟合部の底部から延伸し、かつ包被部上下端の貫通方向に対応するようにした請求項１に記載のヘアアクセサリ。
【請求項７】
ヘアアクセサリ本体が、２つの相互に挟合した外内挟合部を有し、外内挟合部の一端が枢接し、弾性素子に接合し、相互に展開、閉合可能であり、かつ外内挟合部の間に包被部を有し、また、造型体の一端が内挟部の位置と接合し、そのピンが包被部上下端の貫通方向に対応する請求項１に記載のヘアアクセサリ。
【請求項８】
ヘアアクセサリ本体が２つの相互に挟合した外内挟合部であり、内挟合部の一端が枢接し、弾性素子に接合し、他端が係合可能であり、外内挟合部の間に包被部を有し、また、造型体の一端が内挟部と接合し、そのピンが包被部上下端の貫通方向に対応する請求項１に記載のヘアアクセサリ。
【請求項９】
ヘアアクセサリ本体が弾性を有する挟体であり、該挟体は外内挟合部を有し、その可撓性を介して湾曲し、展開または閉合可能であり、外内挟合部の間に包被部を有し、また、造型体の一端が内挟部と接合し、そのピンが包被部上下端の貫通方向に対応する請求項１に記載のヘアアクセサリ。
【請求項１０】
ヘアアクセサリ本体は、伸縮可能な束合体とすることができ、束合体上に硬質接合体または板体を設け、かつ頭髮を束ねるときに、頭髮を包被可能な包被部を束合体内に形成し、また、接合体または板体の包被部上下貫通方向に、造型体を設け、造型体のピンが接合体または板体の下方から延伸するようにした請求項１に記載のヘアアクセサリ。
【考案の詳細な説明】
【技術分野】
【０００１】
本考案は、ヘアアクセサリであり、主に頭髮を包んだ後に固定し、湾曲して持ち上げる形態を形成するヘアアクセサリである。
【背景技術】
【０００２】
公知のヘアアクセサリには多種の形式があり、一般には、頭髮を束ねて髪型を整え、美しさを増進することができるものである。図２３、２４は、公知のヘアアクセサリ構造の１つである。主に２つの左右挟合部１’、２’を有し、前記２つの左右挟合部１’、２’の片側には、クリップ１１’、２１’を有し、反対側には枢接部１２’、２２’が設けられている。また、枢接部１２’、２２’の位置には、ばね３’が設けられ、ばね３’の弾性力を介して２つの挟合部１’、２を挟合させることができ、２つの挟合部１’、２’の間に透過包被部４’を形成し、髮を挟むときに包被部４’上下端で頭髮を貫通させることができる。
【０００３】
しかしながら、前記構造は、主に複数の頭髮を比較的小さな空間の包被部４’から束ね、頭髮がばらばらになることを防止するものであり、頭髮を束ねて整えることができるが、前記ヘアクリップは、髮型に比較的多くの変化を提供することができない。例えば、前記ヘアクリップは、扁平な頭型の後方の頭髮を湾曲して持ち上げた形態に固定することも、頭部の前方の頭髮をアーチ形に突起させることもできず、使用機能が不足するという欠点を有する。
【考案の概要】
【考案が解決しようとする課題】
【０００４】
本考案の目的は、頭髮を包んだ後に固定し、湾曲して持ち上げる形態を形成するヘアアクセサリを提供することである。
【課題を解決するための手段】
【０００５】
本考案は、ヘアアクセサリ本体と、造型体とを備える。前記ヘアアクセサリ本体は、頭髮を包被可能な包被部を有する。前記包被部は、透過上下端を有し、頭髮を包むときに、頭髮が包被部上下端を貫通する。また、造型体は、ヘアアクセサリ本体上に設け、複数のピンを有する。前記ピンの方向は、前記包被部上下端の貫通方向に対応する。かつヘアアクセサリ本体を閉合させ、包被部で頭髮を束ねるときに、前記ピンは頭髮に挿されていない。また、ヘアアクセサリ本体を移動させ、包まれてない頭髮に造型体のピンを挿し、ヘアアクセサリ本体の位置を固定することができる。
【０００６】
本考案の前記造型体とヘアアクセサリ本体とは、一体成型することも、貼り合わせることも、接合素子により接合することもできる。
【０００７】
本考案の前記造型体のピンの両側にフランジを設けることができ、ピンを頭髮に挿すときに、フランジを介してさらに確実に髮を挟むことができる。
【０００８】
本考案の前記ヘアアクセサリ本体は、左右または外内挟合部を有することも、弾性挟体または伸縮束合体を有することも可能である。
【考案の効果】
【０００９】
本考案のヘアアクセサリ本体は、頭部後方の頭髮を包むことができ、さらにヘアアクセサリ本体を上に移動させ、前記包まれた頭髮の上方の位置に湾曲アーチ形体を形成する。さらに、造型体のピンを前記位置に挿し、包まれていない頭髮を固定し、頭部後方で湾曲したアーチ形を呈する髮型を形成することができ、頭部が扁平な頭型で、後方が突出した美しい形を表現することができる。
【図面の簡単な説明】
【００１０】
【図１】本考案の第１実施例の構造概略図である。
【図２】本考案の第１実施例の髪を挟んだ概略図である。
【図３】本考案の第１実施例の図２Ａ−Ａ断面概略図である。
【図４】本考案の第１実施例の図２Ｂ−Ｂ断面概略図である。
【図５】本考案の第１実施例の頭髮がアーチ形を呈するよう固定した概略図である。
【図６】本考案の第１実施例の概略図である。
【図７】本考案の第２実施例の造型体の構造概略図である。
【図８】本考案の第３実施例の造型体の構造概略図である。
【図９】本考案の第４実施例の構造概略図である。
【図１０】本考案の第４実施例の髪を挟んだ概略図である。
【図１１】本考案の第４実施例の髪を挟んだ断面概略図である。
【図１２】本考案の第４実施例の頭髮がアーチ形を呈するよう固定した概略図である。
【図１３】本考案の第４実施例の頭髮がアーチ形を呈するよう固定した概略図である。
【図１４】本考案の第５実施例の構造概略図である。
【図１５】本考案の第６実施例の構造分解概略図である。
【図１６】本考案の第６実施例の構造組立概略図である。
【図１７】本考案の第７実施例の展開概略図である。
【図１８】本考案の第７実施例の閉合概略図である。
【図１９】本考案の第８実施例の構造概略図である。
【図２０】本考案の第８実施例の髪を束ねた概略図である。
【図２１】本考案の第９実施例の束ねた髮がアーチ形を呈するよう固定した概略図である。
【図２２】本考案の第９実施例の構造概略図である。
【図２３】公知の製品の構造概略図である。
【図２４】公知の製品の髪を挟んだ概略図である。
【考案を実施するための形態】
【００１１】
図１に示すように、本考案の第１実施例は、ヘアアクセサリ本体１と、造型体２とを備える。ヘアアクセサリ本体１は、左右挟合部１１、１２を有する。左右挟合部１１、１２は、クリップ１１１、１２１を有し、一端が枢接し、ばね（図には未表示）を接合し、相互に展開、閉合可能である。かつ、閉合時に、２つのクリップ１１１、１２１は、相互に交差可能である。また、左右挟合部１１、１２の間には、包被部１３を有し、造型体２は複数のピン２１を有する。ピン２１の方向は、包被部１３上下端１３１、１３２の貫通方向に対応する。ピン２１の一端は、包被部１３下端１３２の右挟合部１２底部に対応して成型され接合し、造型体２のピン２１は、右挟合部１２底部から延伸する。
【００１２】
図２〜図４に示すとおり、本考案は、ヘアアクセサリ本体１の左右挟合部１１、１２を閉合し、包被部１３で頭髮を束ねるときに、ピン２１は頭髮に挿されていない。また、図５、図６に示すとおり、本考案はさらにヘアアクセサリ本体１を上に移動させ、包まれていない頭髮に造型体２のピン２１を挿してヘアアクセサリ本体１の位置を固定し、前記包まれた頭髮の上方の位置に湾曲したアーチ形を形成する。頭部後方に湾曲したアーチ形を呈する髮型を形成することができ、かつ頭部が扁平な頭型で、後方が突出した美しい髪型を表現することができる。
【００１３】
図７に示すとおり、本考案の第２実施例は第１実施例と同じであり、その違いは、造型体３のピン３１の両側にフランジ３１１を有し、ピン３１を頭髮（図には未表示）に挿すときに、フランジ３１１を介して髮を挟み、さらに優れた安定性を増進することができることである。
【００１４】
図８に示すとおり、本考案の第３実施例は第１実施例と同じであり、その違いは、造型体４とヘアアクセサリ本体１とが分離した組立部品であり、貼り合わせ、またはその他の方式で組み立て（図には未表示）、本考案で訴求する効果を有することが可能なことである。
【００１５】
図９〜図１１に示すとおり、本考案の第４実施例は第１実施例と同じであり、その違いは、第１実施例の左右挟合部を外内挟合部に変更したことである。ヘアアクセサリ本体５の外内挟合部５１、５２はクリップ５１１、５２１を有し、一端が枢接し、弾性素子（図には未表示）を接合し、相互に展開、閉合可能である。かつ、閉合時に、クリップ５１１、５２１は、相互に交差可能である。また、クリップ５１１内側にピン５１２が設けてある。外内挟合部５１、５２の間には、包被部５３を有し、髮を挟んだ後、外内挟合部５１、５２が、それぞれその挟合する頭髮の外、内側に位置する。また、造型体６の一端は、包被部５３下端の位置の内挟合部５２のクリップ５２１底部に対応して接合し、造型体６のピン６１は、クリップ５２１底部から延伸し、かつ包被部５３上下端５３１、５３２の貫通方向に対応する。かつ、ピン６１の両側にフランジ６２を有する。また、図１２、１３に示すとおり、髮を挟んだ後、ヘアアクセサリ本体５を上に移動させ、造型体６を包まれていない頭髮と貫通させて固定し、頭部後方の頭髮でアーチ形の造型を形成することができる。
【００１６】
図１４に示すとおり、本考案の第５実施例のヘアアクセサリ本体７は、２つの相互に挟合した外内挟合部７１、７２とすることができる。外内挟合部７１、７２の一端が枢接し、弾性素子（図には未表示）を接合し、相互に展開、閉合可能である。かつ、外内挟合部７１、７２の間には、包被部７３を有し、また造型体８の一端が内挟合部７２と接合する。そのピン８１は包被部７３上下端の貫通方向に対応し、本考案で訴求する効果を有することが可能である。
【００１７】
図１５、図１６に示すとおり、本考案の第６実施例のヘアアクセサリ本体９１は、２つの相互に挟合した外内挟合部９１１、９１２とすることができる。外内挟合部９１１、９１２の一端が枢接し、他端は係合可能である。外内挟合部９１１、９１２の間には、包被部９１３を有し、また造型体９２の一端が内挟合部９１２と接合する。そのピン９２１は包被部９１３上下端の貫通方向に対応し、本考案で訴求する効果を有することが可能である。
【００１８】
図１７、図１８に示すとおり、本考案の第７実施例のヘアアクセサリ本体９３は、弾性を有する挟体とすることができる。前記挟体は、外内挟合部９３１、９３２を有し、その可撓性を介して湾曲させ、展開または閉合可能である。外内挟合部９３１、９３２の間には、包被部９３３を有し、また造型体９４の一端が内挟合部９３２と接合する。そのピン９４１は包被部９３上下端の貫通方向に対応し、本考案で訴求する効果を有することが可能である。
【００１９】
図１９に示すとおり、本考案の第８実施例のヘアアクセサリ本体９５は、伸縮可能な束合体であり、束合体上に硬質接合体９５１が設けてある。頭髮を束ねるときに、ヘアアクセサリ本体９５の中央に、頭髮を包被可能な包被部９５２を有する。また、接合体９５１には、包被部９５２上下端の貫通方向に対応して、造型体９６が設けてあり、造型体９６のピン９６１を接合体９５１下方から延伸させる。図２０、図２１に示すように、ヘアアクセサリ本体９５で髮を束ねた後に、ヘアアクセサリ本体９５を上に移動させ、造型体９６を包まれていない頭髮と貫通させて固定し、頭髮でアーチ形を形成することができる。
【００２０】
図２２に示すとおり、本考案の第９実施例は第８実施例と同じであり、その違いは、ヘアアクセサリ本体上にさらに板体９７を設け、造型体９８を板体９７上に設けたことであり、本考案で訴求する効果を有することが可能である。
【００２１】
前記のとおり、本考案は、頭髮に対する造型の変化の効果をヘアアクセサリ本体に提供させることができる。前記各実施例は、本考案の例でしかなく、本考案を制限するものではない。本考案の主旨に基づきなされた同等の変更も、本考案の範疇内に属す。
【符号の説明】
【００２２】
１      ヘアアクセサリ本体
１１    左挟合部
１１１  クリップ
１１２  ギア
１２    右挟合部
１２１  クリップ
１２２  底部
１３    包被部
１３１  上端
１３２  下端
２      造型体
２１    ピン
３      造型体
３１    ピン
３２    フランジ
４      造型体
５      ヘアアクセサリ本体
５１    外挟合部
５１１  クリップ
５２    内挟合部
５２１  クリップ
５３    包被部
５３１  上端
５３２  下端
６      造型体
６１    ピン
６２    フランジ
７      ヘアアクセサリ本体
７１    外挟合部
７２    内挟合部
７３    包被部
８      造型体
８１    ピン
９１    ヘアアクセサリ本体
９１１  外挟合部
９１２  内挟合部
９１３  包被部
９２    造型体
９２１  ピン
９３    ヘアアクセサリ本体
９３１  外挟合部
９３２  内挟合部
９３３  包被部
９４    造型体
９４１  ピン
９５    ヘアアクセサリ本体
９５１  接合体
９５２  包被部
９６    造型体
９６１  ピン
９７    板体
９８    造型体
【図１】
0003153625.tif 000003
【図２】
0003153625.tif 000004
【図３】
0003153625.tif 000005
【図４】
0003153625.tif 000006
【図５】
0003153625.tif 000007
【図６】
0003153625.tif 000008
【図７】
0003153625.tif 000009
【図８】
0003153625.tif 000010
【図９】
0003153625.tif 000011
【図１０】
0003153625.tif 000012
【図１１】
0003153625.tif 000013
【図１２】
0003153625.tif 000014
【図１３】
0003153625.tif 000015
【図１４】
0003153625.tif 000016
【図１５】
0003153625.tif 000017
【図１６】
0003153625.tif 000018
【図１７】
0003153625.tif 000019
【図１８】
0003153625.tif 000020
【図１９】
0003153625.tif 000021
【図２０】
0003153625.tif 000022
【図２１】
0003153625.tif 000023
【図２２】
0003153625.tif 000024
【図２３】
0003153625.tif 000025
【図２４】
0003153625.tif 000026